(57)【要約】【課題】病院等における患者の画像による安全確認方法では要監視患者の身内や親戚に対するプライバシー保護が十分ではなかった。【解決手段】〔Ｓ１〕病室内カメラで病室を撮影して病室内背景画像とする。〔Ｓ２〕要監視患者Ａさんの居る病室内を撮影する。モニター画面には、画像間差分によりＡさんの画像を切り出して変換したシルエットが表示される。〔Ｓ３〕病室内カメラは、病室内を移動するＡさんを連続撮影し、モニター画面には画像間差分により移動するＡさんのシルエットが表示される。〔Ｓ４〕Ａさんが病室の外に出るときは、病室外カメラにその旨通知される。モニター画面には病室から出てくるＡさんのシルエットが表示される。〔Ｓ５〕病室外カメラは、病室外を移動するＡさんを連続撮影し、モニター画面には画像間差分により病室外を移動するＡさんのシルエットが表示される。【選択図】　　　　図１
2004078344.tif 000002
【特許請求の範囲】
【請求項１】
病院や福祉施設における重症者または痴呆性老人（以下、要監視患者と略記する）の行動をモニター画面で監視して安全を確保する画像による安全確認方法において、
病室内に設置された病室内カメラで誰も居ない病室を撮影した画像を病室内背景画像とし、
名前の分かっている特定の要監視患者Ａが居る時の病室を撮影した画像を病室内要監視患者Ａ画像とし、
これらの病室内背景画像と病室内要監視患者Ａ画像との画像間差分による変化検出により要監視患者Ａの画像を切り出し、
この切り出した要監視患者Ａの画像を中抜きし，色付けし，縞模様と名前等を付して要監視患者Ａシルエットに変換し、
病室内カメラで病室内を連続撮影した画像を病室内連続画像とし、
これらの病室内連続画像の画像間差分による変化検出により病室内の要監視患者Ａの移動を前記モニター画面で要監視患者Ａシルエットとして表示させ、
病室内カメラが出入口近傍の基準線上に居る要監視患者Ａを撮影した場合には、要監視患者Ａが病室の出口近傍に居る旨が病室外に設置された病室外カメラに通知され、
前記通知された病室外カメラで病室外を連続撮影した画像を病室外連続画像とし、
これらの連続画像の画像間差分による変化検出により病室外における要監視患者Ａの移動を前記モニター画面で要監視患者Ａシルエットとして表示させ、
ナースステーションのモニター画面に表示されるこれらの要監視患者Ａシルエットを監視することを特徴とする画像による安全確認方法。
【請求項２】
前記要監視患者シルエットの代わりに、
予め、要監視患者ごとに設定しておいた設定シルエットを使用することを特徴とする請求項１に記載の画像による安全確認方法。
【請求項３】
前記病室内背景画像と前記病室外カメラにより撮影される人物以外の病室外背景画像の代わりに予め作製された背景画像を用いることを特徴とする請求項１，２のいずれかに記載の画像による安全確認方法。
【発明の詳細な説明】
【０００１】
【発明の属する技術分野】
本発明は、病院や福祉施設における重症者または痴呆性老人の行動をモニター画面で監視して安全を確保する画像による安全確認方法であって、特に患者や被介護者に対する安全確認とプライバシー保護に配慮した画像による安全確認方法に関する。
【０００２】
【従来の技術】
従来は、病院や福祉施設における患者（被介護者を含む）の安全確認のために病室や廊下灯にカメラを設置して、その画像をナースステーションで見ていた。
【０００３】
【発明が解決しようとする課題】
しかし、従来の画像による安全確認方法では患者の画像がそのまま映し出されるために特に患者の身内や親戚に対するプライバシー保護に対する配慮が十分ではないという問題があった。
【０００４】
本発明はこのような点に鑑みてなされたものであり、患者の行動を監視して安全を確保すると共に、特に患者の身内や親戚に対するプライバシー保護に配慮した画像による安全確認方法を提供することを目的とする。
【０００５】
【課題を解決するための手段】
上記課題を解決するために本発明の画像による安全確認方法は、病院や福祉施設における重症者または痴呆性老人の行動をモニター画面で監視して安全を確保する画像による安全確認方法において、病室内に設置された病室内カメラで誰も居ない病室を撮影した画像を病室内背景画像とし、名前の分かっている特定の要監視患者Ａが居る時の病室を撮影した画像を病室内要監視患者Ａ画像とし、これらの病室内背景画像と病室内要監視患者Ａ画像との画像間差分による変化検出により要監視患者Ａの画像を切り出し、この切り出した要監視患者Ａの画像を中抜きし，色付けし，縞模様と名前等を付して要監視患者Ａシルエットに変換し、病室内カメラで病室内を連続撮影した画像を病室内連続画像とし、これらの病室内連続画像の画像間差分による変化検出により病室内の要監視患者Ａの移動を前記モニター画面で要監視患者Ａシルエットとして表示させ、病室内カメラが出入口近傍の基準線上に居る要監視患者Ａを撮影した場合には、要監視患者Ａが病室の出口近傍に居る旨が病室外に設置された病室外カメラに通知され、前記通知された病室外カメラで病室外を連続撮影した画像を病室外連続画像とし、これらの連続画像の画像間差分による変化検出により病室外における要監視患者Ａの移動を前記モニター画面で要監視患者Ａシルエットとして表示させ、ナースステーションのモニター画面に表示されるこれらの要監視患者Ａシルエットを監視することに特徴を有している。
【０００６】
また、本発明の画像による安全確認方法は、前記要監視患者シルエットの代わりに、予め、要監視患者ごとに設定しておいた設定シルエットを使用することに特徴を有している。
【０００７】
さらに、本発明の画像による安全確認方法は、前記病室内背景画像と前記病室外カメラにより撮影される人物以外の病室外背景画像の代わりに予め作製された背景画像を用いることに特徴を有している。
【０００８】
【発明の実施の形態】
本発明では、カメラで映した画像をモニターに映し出す前に、人の画像をシルエットにし、そのシルエットを、たとえば、女子は赤色に、男子は青色に色分けして識別すると共に、そのシルエット内に名前を表示して、そのシルエットの移動と共に名前も移動することを特徴とする。
ある患者の画像を要監視患者の画像と認定する方法として、病室内の決められたベッドに居る名前の分かっている特定の要監視患者を病室カメラで映した画像を特定の要監視患者の画像と認定することを特徴とする。
病室内カメラが特定の要監視患者が室外に出ようとしているのを撮影した場合には、病室外カメラにその旨が連絡されることを特徴とする。
カメラで撮影される病室内外の背景画像の代わりに作製した背景画像を用いることを特徴とする。
【０００９】
【実施例】
（第１実施例）
以下、本発明の第１実施例を図面に基づいて説明する。
図１は、本発明の第１実施例における画像による安全確認方法を説明するフローチャート図である。図においてＳに続く数値はステップ番号を示す。
〔Ｓ１〕病室内に設置された病室内カメラで誰も居ない時の病室を撮影した画像を病室内背景画像とする。
〔Ｓ２〕○○病室△△号ベッドの患者は要監視患者Ａさんであることが分かっており、特定できる。この○○病室△△号ベッドに要監視患者Ａが居る時の病室を撮影することにより、この撮影画像と前述の病室内背景画像の画像間差分による変化検出により○○病室△△号ベッドの要監視患者Ａの画像を切り出すことができる。
この切り出した要監視患者Ａの画像を中抜きし，色付けし，縞模様と名前等を付したシルエットに変換し、この変換したシルエットを要監視患者Ａのシルエットと定める。
モニター画面には○○病室の病室内背景画像と第△△号ベッドに居る要監視患者Ａのシルエットが表示される。勿論、シルエットには色，縞模様とＡさんの名前等が付されている。
【００１０】
〔Ｓ３〕病室内カメラは、病室内を移動する要監視患者Ａさんを連続撮影する。モニター画面には連続画像の画像間差分による変化検出により病室内を移動する要監視患者Ａさんのシルエットが表示される。
〔Ｓ４〕要監視患者Ａが病室の外に出ようとし、出口近傍の設定されているある基準線に到達しているのを病室内カメラが撮影した時は、病室外カメラにはその旨が通達される。
病室外カメラは○○病室から出てくる患者は要監視患者Ａであることを認識することができる。
モニター画面には○○病室から出てくる要監視患者Ａさんのシルエットが表示される。
〔Ｓ５〕病室外カメラは、病室外を移動する要監視患者Ａさんを連続撮影する。モニター画面には連続画像の画像間差分による変化検出により病室外を移動する要監視患者Ａさんのシルエットが表示される。
【００１１】
（第２実施例）
本発明の第２実施例は、個別の要監視患者と関連付けたシルエットを予め設定しておくことにある。
2004078344.tif 000003
【００１２】
上記対応表のように要監視患者とそのシルエットを予め設定しておくことにより、病室内カメラで３号室の１の患者を撮影できれば、撮影された患者の撮影画像の形状に関係なく滝川昇の青色で縦縞、名前入りのシルエットをモニター画面に表示することができる。従って、画像処理で最も難しい人物の特定が比較的容易に達成できる。
【００１３】
さらに、個別の患者と関連付けたシルエットを寝ている状態、立っている状態、歩いている状態等、複数予め設定しておけばよりリアルなモニター画面が得られる。
【００１４】
（第３実施例）
通常、天井に設置された病室外カメラで廊下を歩行中の要監視患者を撮影した場合には、モニター画面では要監視患者が廊下のどの辺に居るのか明瞭でなく、相対位置が分かり難い。そこで本発明の第３実施例は、病室内背景画像や病室外背景画像（廊下等）も予めモニター用に準備しておくことにある。従って、モニター画面には廊下を移動する要監視患者のシルエットを横からの目線で監視している状態にすることができる。
【００１５】
【発明の効果】
以上説明したように、本発明の画像による安全確認方法は、病院や福祉施設における重症者または痴呆性老人の行動をモニター画面で監視して安全を確保する画像による安全確認方法において、病室内に設置された病室内カメラで誰も居ない病室を撮影した画像を病室内背景画像とし、名前の分かっている特定の要監視患者Ａが居る時の病室を撮影した画像を病室内要監視患者Ａ画像とし、これらの病室内背景画像と病室内要監視患者Ａ画像との画像間差分による変化検出により要監視患者Ａの画像を切り出し、この切り出した要監視患者Ａの画像を中抜きし，色付けし，縞模様と名前等を付して要監視患者Ａシルエットに変換し、病室内カメラで病室内を連続撮影した画像を病室内連続画像とし、これらの病室内連続画像の画像間差分による変化検出により病室内の要監視患者Ａの移動を前記モニター画面で要監視患者Ａシルエットとして表示させ、病室内カメラが出入口近傍の基準線上に居る要監視患者Ａを撮影した場合には、要監視患者Ａが病室の出口近傍に居る旨が病室外に設置された病室外カメラに通知され、前記通知された病室外カメラで病室外を連続撮影した画像を病室外連続画像とし、これらの連続画像の画像間差分による変化検出により病室外における要監視患者Ａの移動を前記モニター画面で要監視患者Ａシルエットとして表示させ、ナースステーションのモニター画面に表示されるこれらの要監視患者Ａシルエットを監視するので、
また、前記要監視患者シルエットの代わりに、予め、要監視患者ごとに設定しておいた設定シルエットを使用するので、
さらに、前記病室内背景画像と前記病室外カメラにより撮影される人物以外の病室外背景画像の代わりに予め作製された背景画像を用いるので、
要監視患者の行動を監視して安全を確保すると共に、特に要監視患者の身内や親戚に対するプライバシー保護に配慮した画像による安全確認方法を提供することができる。
【図面の簡単な説明】
【図１】本発明の第１実施例における画像による安全確認方法を説明するフローチャート図である。
【図１】
2004078344.tif 000004